(57)【要約】【課題】このような鑑賞用水槽では、モータを駆動するための電池が必要となるために模型船や模型魚の形状が大きくなり、又、スクリュウやおびれを駆動するための連結に細かい作業が必要とするので、模型船や模型魚のコストが高くなり、鑑賞用水槽のコストが高くなる。【解決手段】透明容器１内に液体２が入れられ、透明容器１の底部に超音波振動子３が装着され、超音波振動子３に電池を内蔵する発振器４から発振出力が印加されることにより、超音波振動子３から透明容器１の液体２内に超音波か照射され、液体２内に模型魚５が浮遊するように構成され、金属板６の両面に圧電セラミックス７を固着したバイモルフ振動子８を構成し、このバイモルフ振動子８の金属板６の一端に推力板９が固着され、バイモルフ振動子８を模型魚５の側面に固着するようにしている。【選択図】        図１
2005046196.tif 000002
【特許請求の範囲】
【請求項１】
透明容器と、該透明容器の底部に装着した超音波振動子と、該超音波振動子発振出力を印加するために、前記透明容器の底部に装着した発振器と、前記透明容器に入れた液体中又は液体面に浮遊させる鑑賞物と、該鑑賞物に装着した金属板と圧電セラミックスからなるバイモルフ振動子と、該バイモルフ振動子の前記金属板の端部に装着した推力板とからなることを特徴とする鑑賞用超音波水槽。
【請求項２】
前記鑑賞物は水面に浮遊する浮遊物にひもでつり下げられていることを特徴とする請求項１記載の鑑賞用超音波水槽。
【請求項３】
前記バイモルフ振動子は金属板の片面に圧電セラミックスを固着したものであることを特徴とする請求項１記載の鑑賞用超音波水槽。
【請求項４】
前記バイモルフ振動子は金属板の両面に圧電セラミックスを固着したものであることを特徴とする請求項１記載の鑑賞用超音波水槽。
【請求項５】
前記鑑賞物は模型魚であることを特徴とする請求項１記載の鑑賞用超音波水槽。
【請求項６】
前記鑑賞物は模型船であることを特徴とする請求項１記載の鑑賞用超音波水槽。
【請求項７】
前記透明水槽に入れた液体に色がついていることを特徴とする請求項１記載の鑑賞用超音波水槽。
【発明の詳細な説明】
【０００１】
【発明が属する技術分野】
本発明は、透明容器の液体に超音波振動子から超音波を照射し、照射された超音波で鑑賞物を移動させる鑑賞用超音波水槽に関するものである。
【０００２】
【従来の技術】
この種の鑑賞用水槽としては、透明水槽の液体に浮遊する鑑賞物にモータを装着し、このモータを動力として、模型船であれば、スクリュウを駆動し、又、模型魚であればおびれ等を駆動して移動させるものが知られている。
【０００３】
【発明が解決しようとする課題】
しかしながら、このような鑑賞用水槽では、モータを駆動するための電池が必要となるために模型船や模型魚の形状が大きくなり、又、スクリュウやおびれを駆動するための連結に細かい作業が必要とするので、模型船や模型魚のコストが高くなり、鑑賞用水槽のコストが高くなるという問題があった。
【０００４】
【課題を解決しようとする手段】
本発明は、透明容器と、該透明容器の底部に装着した超音波振動子と、該超音波振動子発振出力を印加するために、前記透明容器の底部に装着した発振器と、前記透明容器に入れた液体中又は液体面に浮遊させる鑑賞物と、該鑑賞物に装着した金属板と圧電セラミックスからなるバイモルフ振動子と、該バイモルフ振動子の前記金属板の端部に装着した推力板とからなるものであり、又、前記鑑賞物は水面に浮遊する浮遊物にひもでつり下げられているものであり、さらに、前記バイモルフ振動子は金属板の片面に圧電セラミックスを固着したものであり、又、前記バイモルフ振動子は金属板の両面に圧電セラミックスを固着したものであり、さらに、前記鑑賞物は模型魚であり、又、前記鑑賞物は模型船であり、前記透明水槽に入れた液体に色がついているものである。
【０００５】
【発明の実施の形態】
本発明は、透明容器に液体を入れ、この液体に浮遊する鑑賞物を入れ、この鑑賞物にバイモルフ振動子を装着し、このバイモルフ振動子に推力板を装着し、透明容器の底部に装着した超音波振動子から超音波を液体に照射すると、バイモルフ振動子が照射された超音波で振動し、推力板を振動させるので、この推力板の振動により鑑賞物を移動させることができる。
【０００６】
【実施例】
図１は本発明の実施例の鑑賞用超音波水槽の側面断面図で、透明容器１内に液体２が入れられ、透明容器１の底部に超音波振動子３が装着され、この超音波振動子３に電池（図示せず）を内蔵する発振器４から発振出力が印加され、それによって、超音波振動子３から透明容器１の液体２内に超音波か照射され、又、液体２内に模型魚５が浮遊するように構成され、又、図３に示すように、金属板６の両面に圧電セラミックス７を固着したバイモルフ振動子８を構成し、このバイモルフ振動子８の金属板６の一端に推力板９が固着され、このバイモルフ振動子８を図２に示すように模型魚５の側面に固着するようにしている。
【０００７】
このように構成した本実施例の鑑賞用超音波水槽では、透明容器１の底部に装着した発振器４からの発振出力で超音波振動子３から超音波が透明容器１の液体２内に照射されると、この超音波によりバイモルフ振動子８の圧電セラミックス７がたわみ振動し、それによって金属板６がたわみ振動するので、金属板６の端部に装着された推力板９が振動することにより、液体２を模型魚５の後方に押し出すので、模型魚５が移動することができる。
【０００８】
本実施例では、このように、金属板６に圧電セラミックス７を固着し、金属板６の端部に推力板を装着した簡単な構成であり、又、電池も必要としないので、模型魚を小さく作ることができ、透明水槽１内に１つの模型魚５だけでなく、多数の模型魚５を浮遊させることができる。
【０００９】
図２は本発明の他の実施例の鑑賞用超音波水槽の側面断面図で、１は透明水槽、２は液体、３は超音波振動子、４は発振器、５は模型魚、９は推力板でこれらの構成は上記実施例と同じであるので説明は省略するが、本実施例では、模型魚５は液面に浮遊している浮遊物１０にひも１１でつり下げられており、又、発振器４は商用電源に接続されるプラグ１２に接続されている。
【００１０】
このように構成した本実施例の鑑賞用超音波水槽でも、上記実施例と同様に模型魚５を移動させることができ、又、この実施例においても、複数の模型魚を回遊させることができる。
【００１１】
なお、上記実施例では、バイモルフ振動子８の金属板６の両面に圧電セラミックス７を固着するようにしたが、圧電セラミックス７を金属板６の片面に固着しても同様の効果を得ることができ、又、模型魚５を透明容器１の液体２内に浮遊させるようにしたが、模型船や他の形状の鑑賞物にバイモルフ振動子８を装着してもよいし、さらに、液体５に適当な色を着けることにより、より鑑賞的効果が上がる。
【００１２】
【発明の効果】
以上説明したように、本発明の鑑賞用超音波水槽では、透明容器に液体を入れ、この液体に浮遊する鑑賞物を入れ、この鑑賞物にバイモルフ振動子を装着し、このバイモルフ振動子に推力板を装着し、透明容器の底部に装着した超音波振動子から超音波を液体に照射することにより、照射された超音波でバイモルフ振動子が振動し、推力板を振動させるので、この推力板の振動により１つ又は複数の鑑賞物を移動させることができ、又、液体に色をつけることによりより鑑賞的効果が上がるという利点がある。
【図面の簡単な説明】
【図１】図１は本発明の実施例の鑑賞用超音波水槽の側面断面図である。
【図２】図２は図１の液体に浮遊する鑑賞物の側面図である。
【図３】図３は図２の鑑賞物に装着するバイモルフ振動子の上面図である。
【図４】図４は本発明の他の実施例の鑑賞用超音波水槽の側面断面図である。
【符号の説明】
１          透明容器
２          液体
３          超音波振動子
４          発振器
５          模型魚
６          金属板
７          圧電セラミックス
８          バイモルフ振動子
９          推力板
１０        浮遊物
１１        ひも
１２        プラグ
【図１】
2005046196.tif 000003
【図２】
2005046196.tif 000004
【図３】
2005046196.tif 000005
【図４】
2005046196.tif 000006